(57)【要約】      （修正有）【課題】展開または折り畳む際に指が挟まれるのを防ぐ折り畳み式挟み込み防止可能な屏風構造を提供する。【解決手段】折り畳み式挟み込み防止可能な屏風構造は、少なくとも２つの屏風パネル１０を含み、各屏風パネル１０は外枠２０に固定され、挟み込み防止プレート３０を用いて、縦ブレース４０の貫通と組み合わせて、屏風パネル１０を互いにピボット接続することにより、挟み込み防止機能付きの折り畳み式屏風構造が完成する。【選択図】図２
0003234034.tif 000002
【実用新案登録請求の範囲】
【請求項１】
折り畳み式挟み込み防止可能な屏風構造であって、当該屏風は、少なくとも２つの屏風パネルを含み、上記の各屏風パネルは外枠に固定され、挟み込み防止プレートを用いて、縦ブレースの貫通と組み合わせて、屏風パネルを互いにピボット接続が生じ、同時に挟み込み防止機能付きの折り畳み式屏風構造が完成され、
上記の外枠は密封蓋を用いて連結する４つの辺枠を有し、当該密封蓋と辺枠との結合によって上記の外枠の左、右両側にそれぞれ外側垂直面が形成され、且つ上記の屏風パネルを当該４つの辺枠より構成される外枠の中に嵌め込むことができ、少なくとも１つの当該外側垂直面は、同じ相対位置で異なる高さのところに、上記の密封蓋及び辺枠にそれぞれの複数の突起座を設けており、且つ当該各突起座の頂部から下へのそれぞれの貫通孔を貫通し、
上記の挟み込み防止プレートは、隣接する２つの屏風パネルの間に設けられているため、上記の２つの屏風パネル間のギャップを当該挟み込み防止プレートで完全に埋め、上記の挟み込み防止プレートの両側にある縦方向のミシン目が貫通することにより、縦ブレースは密封蓋の最上部の貫通孔を通過し、さらに当該縦方向のミシン目及び上記の辺枠の貫通孔を貫通することができ、縦ブレースが貫通した後に位置決めされ、上記の隣接する２つの屏風パネルが、挟み込み防止プレートによって、互いにギャップのないピボット接続を実現でき、上記の挟み込み防止プレートに対する上記の突起座のところのノッチの形成を利用して、上記のノッチ間に小さな直径のマットが形成されるように、当該ノッチを利用して、上記の突起座の収納できるように位置を合わせることにより、上記の挟み込み防止プレートと突起座とが互いに干渉し、ピボット接続をスムーズに行うことができないことを避け、同じ高さの突起座間のスペースはマットで埋められ、ともに２つの屏風パネルが同じ高さのところに人を挟み込むギャップが形成されることを防ぐこともできることを特徴とする折り畳み式挟み込み防止可能な屏風構造。
【請求項２】
上記の突起座は、上記の屏風パネルの片側のみの外側垂直面に設けられることを特徴とする請求項１の折り畳み式挟み込み防止可能な屏風構造。
【請求項３】
上記の屏風パネルの２つの外側垂直面ともに上記の突起座が設けられ、他の屏風パネルが当該屏風パネルの両側にそれぞれにピボット接続されることを特徴とする請求項１の折り畳み式挟み込み防止可能な屏風構造。
【請求項４】
上記の密封蓋は、外枠の上部コーナーでのみ用いられることを特徴とする請求項１の折り畳み式挟み込み防止可能な屏風構造。
【請求項５】
上記の外枠の上、下部コーナーでも、上記の辺枠のコネクタとして上記の密封蓋が利用されることを特徴とする請求項１の折り畳み式挟み込み防止可能な屏風構造。
【請求項６】
上記の密封蓋の上にある突起座は、当該密封蓋と一体に形成されることを特徴とする請求項１の折り畳み式挟み込み防止可能な屏風構造。
【請求項７】
上記の辺枠の上にある突起座は、別々に組み合わされることを特徴とする請求項１の折り畳み式挟み込み防止可能な屏風構造。
【請求項８】
上記の挟み込み防止プレートは、平らな縦方向のプレート本体であることを特徴とする請求項１の折り畳み式挟み込み防止可能な屏風構造。
【請求項９】
上記の挟み込み防止プレートは、必要な長さを形成するために、上、下に接合することによって形成されることを特徴とする請求項１の折り畳み式挟み込み防止可能な屏風構造。
【請求項１０】
上記の縦ブレースが貫通した後に、ネジでロックされ位置が決められることを特徴とする請求項１の折り畳み式挟み込み防止可能な屏風構造。
【考案の詳細な説明】
【技術分野】
【０００１】
本考案は展開または折り畳む際に指が挟まれるのを防ぐ「折り畳み式挟み込み防止可能な屏風構造」に関する。
【背景技術】
【０００２】
家庭や職場のプライベートスペースを仕切るために、固定仕切り壁の代わりにシンプルな「屏風」がよく使われるが、通常の屏風は折り畳むことができないので、スペースをとるという問題が残っている。そこで、折り畳み機能付きの屏風が開発された。
【０００３】
現在、従来の折り畳み可能な屏風のほとんどは、少なくとも２つの屏風パネルを備えて、各屏風パネルはバタフライヒンジで上、下にピボット接続する上で、上記の屏風の屏風パネルを任意にさまざまな角度に展開したり、又はスムーズにフォウルドしたりすることができるので、材料の面積を大幅に削減する。
【０００４】
しかしながら、前記の通りの従来の構造は実用においても下記の問題点が存在する。すなわち、バタフライヒンジを直接に利用して、上、下にピボット接続される屏風は２つずつ隣に隣り合う前記屏風パネルの間にギャップ（隙間）を形成するから、前記屏風の展開又は折り畳む際に不注意で指がギャップ（隙間）に入れてしまうと、当該屏風の屏風パネルに傷つけられ、使用の安全性が良くないと考えられる。
【０００５】
ここで、上記の従来の屏風の欠点をどのように研究して改善するのは、実際には関連業界の取り組みの目標であるので、本考案者は、これを考慮し、創作の構想を考え出し、長年の経験をもって設計し、多くの議論と試行サンプルの試験、およびいくつかの修正と改善を経て、本考案を発した。
【考案の概要】
【考案が解決しようとする課題】
【０００６】
従来の屏風は、挟み込み防止機能を持たず、使用の安全性が良くないという課題が、本考案が解決しようとする課題である。
【課題を解決するための手段】
【０００７】
本考案は、折り畳み式挟み込み防止可能な屏風構造を提供し、当該屏風は、少なくとも２つの屏風パネルを含み、上記の各屏風パネルは外枠に固定され、挟み込み防止プレートを用いて、縦ブレースの貫通と組み合わせて、屏風パネルを互いにピボット接続が生じ、同時に挟み込み防止機能付きの折り畳み式屏風構造が完成され、ここで、上記の外枠は密封蓋を用いて連結する４つの辺枠を有し、当該密封蓋と辺枠との結合によって上記の外枠の左、右両側にそれぞれに外側垂直面が形成され、且つ上記の屏風パネルを当該４つの辺枠より構成される外枠の中に嵌め込むことができ、少なくとも１つの当該外側垂直面は、同じ相対位置で異なる高さのところに、上記の密封蓋及び辺枠にそれぞれの複数の突起座を設けており、且つ当該各突起座の頂部から下へのそれぞれの貫通孔が貫通し、上記の挟み込み防止プレートは、隣接する２つの屏風パネルの間に設けられているため、上記の２つの屏風パネル間のギャップが当該挟み込み防止プレートで完全に埋められ、上記の挟み込み防止プレートの両側にある縦方向のミシン目が貫通することにより、縦ブレースは密封蓋の最上部の貫通孔を通過し、さらに当該縦方向のミシン目及び上記の辺枠の貫通孔を貫通することができ、縦ブレースが貫通した後に位置決めされ、上記の隣接する２つの屏風パネルが、挟み込み防止プレートによって、互いにギャップのないピボット接続を実現でき、上記の挟み込み防止プレートに対する上記の突起座のところのノッチの形成を利用して、上記のノッチ間に小さな直径のマットが形成されるように、当該ノッチを利用して、上記の突起座を収納できるように位置を合わせることにより、上記の挟み込み防止プレートと突起座と互いに干渉し、ピボット接続をスムーズに行うのができないことを避け、同じ高さの突起座間のスペースはマットで埋められ、ともに２つの屏風パネルが同じ高さのところの突起座間に人を挟み込むギャップが形成されることを防ぐこともでき、従って、折り畳み式挟み込み防止可能な屏風構造が得られる。
【０００８】
従来技術と比較して、本考案は以下の効果を奏している。
本考案は、折り畳み式挟み込み防止可能な屏風構造を提供し、それを使用する場合は、上記の挟み込み防止プレートを利用して、上記の隣接する２つの屏風パネルをピボット接続させることにより、上記の屏風をさまざまな方向に展開または折り畳む自由度があり、また、当該ピボット接続の方法によると、実際に使用の要求に応じて、任意的に上記の屏風をさまざまな角度となるように調整させ、上記の屏風の使用を人員や場所の状況に合わせるように、任意に調整でき、また、上記の挟み込み防止プレートを利用して、上記の隣接する２つの屏風パネルをピボット接続させることにより、当該２つの屏風パネルの間には、指が入れるスペースが無くなり、上記の屏風の展開または折り畳む際に指が挟まれるのを防ぐことができ、使用の安全性が倍増になり、且つ当該屏風は多い消費者の要求により適したものになる。
【図面の簡単な説明】
【０００９】
【図１】本考案の立体組合せ図である。
【図２】本考案の立体分解図である。
【図３】本考案の組合せ断面図である。
【図４】本考案が展開した際の状態を示す図面である。
【図５】本考案がフォウルドした際の状態を示す図面である。
【図６】本考案において１つの方向に向いて異なる角度の任意の調整を行うのを示す作動図である。
【図７】本考案において他の方向に向いて異なる角度の任意の調整を行うのを示す作動図である。
【考案を実施するための形態】
【００１０】
本考案の目的、特徴、及び効果を貴審査官によく理解及び認識させるために、以下は図面の簡単な説明の図面を実施例として例を挙げ、詳しく説明する。
【００１１】
まず、図１ないし図４に示すように、本考案は、折り畳み式挟み込み防止可能な屏風構造を提供し、当該屏風は、少なくとも２つの屏風パネル（１０）を含み、上記の各屏風パネル（１０）は外枠（２０）に固定され、挟み込み防止プレート（３０）を用いて、縦ブレース（４０）の貫通と組み合わせて、屏風パネル（１０）を互いにピボット接続が生じ、同時に挟み込み防止機能付きの折り畳み式屏風構造が完成され、ここで、上記の外枠（２０）は密封蓋（２１）を用いて連結する４つの辺枠（２２）を有し、当該密封蓋（２１）と辺枠（２２）との結合によって上記の外枠（２０）の左、右両側にそれぞれに外側垂直面（２３）が形成され、且つ上記の屏風パネル（１０）を当該４つの辺枠（２２）より構成される外枠（２０）の中に嵌め込むことができ、少なくとも１つの当該外側垂直面（２３）は、同じ相対位置で異なる高さのところに、上記の密封蓋（２１）及び辺枠（２２）にそれぞれの複数の突起座（２４）を設けており、且つ当該各突起座（２４）の頂部から下へのそれぞれの貫通孔（２４１）が貫通し、上記の挟み込み防止プレート（３０）は、隣接する２つの屏風パネル（１０）の間に設けられているため、上記の２つの屏風パネル（１０）間のギャップ（隙間）が当該挟み込み防止プレート（３０）で完全に埋められ、上記の挟み込み防止プレート（３０）の両側にある縦方向のミシン目（３１）が貫通することにより、縦ブレース（４０）は密封蓋（２１）の最上部の貫通孔（２４１）を通過し、さらに当該縦方向のミシン目（３１）及び上記の辺枠（２２）の貫通孔（２４１）を貫通することができ、縦ブレース（４０）が貫通した後に位置決めされ、上記の隣接する２つの屏風パネル（１０）が、挟み込み防止プレート（３０）によって、互いにギャップ（隙間）のないピボット接続を実現でき、上記の挟み込み防止プレート（３０）に対する上記の突起座（２４）のところのノッチ（３２）の形成を利用して、上記のノッチ（３２）間に小さな直径のマット（３３）が形成されるように、当該ノッチ（３２）を利用して、上記の突起座（２４）を収納できるように位置を合わせることにより、上記の挟み込み防止プレート（３０）と突起座（２４）と互いに干渉し、ピボット接続をスムーズに行うのができないことを避け、同じ高さの突起座（２４）間のスペースはマット（３３）で埋められ、ともに２つの屏風パネル（１０）が同じ高さのところの突起座（２４）間に人を挟み込むギャップ（隙間）が形成されることを防ぐこともできる。
【００１２】
本考案は、折り畳み式挟み込み防止可能な屏風構造を提供し、ここで、上記の突起座（２４）は、上記の屏風パネル（１０）の片側のみの外側垂直面（２３）に設けられる（図１ないし図５に示すように）。
【００１３】
本考案は、折り畳み式挟み込み防止可能な屏風構造を提供し、ここで、上記の屏風パネル（１０）の２つの外側垂直面（２３）ともに上記の突起座（２４）が設けられ、他の屏風パネル（１０）が当該屏風パネル（１０）の両側にそれぞれにピボット接続される（図６及び図７に示すように）。
【００１４】
本考案は、折り畳み式挟み込み防止可能な屏風構造を提供し、ここで、上記の密封蓋（２１）は、外枠（２０）の上部コーナーでのみ用いられる（図１及び図２に示すように）。
【００１５】
本考案は、折り畳み式挟み込み防止可能な屏風構造を提供し、ここで、上記の外枠（２０）の上、下部コーナーでも、上記の辺枠（２２）のコネクタとして上記の密封蓋（２１）が利用される。
【００１６】
本考案は、折り畳み式挟み込み防止可能な屏風構造を提供し、ここで、上記の密封蓋（２１）の上にある突起座（２４）は、当該密封蓋（２１）と一体に形成される。
【００１７】
本考案は、折り畳み式挟み込み防止可能な屏風構造を提供し、ここで、上記の辺枠（２２）の上にある突起座（２４）は、別々に組み合わされる。
【００１８】
本考案は、折り畳み式挟み込み防止可能な屏風構造を提供し、ここで、上記の外枠（２０）の下部には、押しやすくするプーリーと組み合わされる。
【００１９】
本考案は、折り畳み式挟み込み防止可能な屏風構造を提供し、ここで、上記の挟み込み防止プレート（３０）は、平らな縦方向のプレート本体である。
【００２０】
本考案は、折り畳み式挟み込み防止可能な屏風構造を提供し、ここで、上記の挟み込み防止プレート（３０）は、必要な長さを形成するために上、下に接合することによって形成される。
【００２１】
本考案は、折り畳み式挟み込み防止可能な屏風構造を提供し、ここで、上記の縦ブレース（４０）が貫通した後に、ネジでロックされ位置が決められる。
【００２２】
それを実際に使用する場合は、上記の挟み込み防止プレート（３０）を利用して、上記の隣接する２つの屏風パネル（１０）をピボット接続させることにより、上記の屏風をさまざまな方向に展開（図４に示すように）または折り畳む（図５に示すように）自由度があり、また、当該ピボット接続の方法によると、実際に使用の要求に応じて、任意的に上記の屏風をさまざまな角度となるように調整させ（図６及び図７に示すように）、上記の屏風の使用を人員や場所の状況に合わせるように、任意に調整でき、また、上記の挟み込み防止プレート（３０）を利用して、上記の隣接する２つの屏風パネル（１０）をピボット接続させることにより、当該２つの屏風パネル（１０）の間には、指が入れるスペースが無くなり、上記の屏風の展開または折り畳む際に指が挟まれるのを防ぐことができ、使用の安全性が倍増になり、且つ当該屏風は多い消費者の要求により適したものになる。
【００２３】
以上は、本考案に係る実施例の一部に過ぎないため、本考案の実施範囲を制限するものではない。即ち、本実用新案登録請求の範囲内で行われる変化、修飾なども本考案の範囲に属すべきである。
【符号の説明】
【００２４】
１０        屏風パネル
２０        外枠
２１        密封蓋
２２        辺枠
２３        外側垂直面
２４        突起座
２４１      貫通孔
３０        挟み込み防止プレート
３１        縦方向のミシン目
３２        ノッチ
３３        マット
４０        縦ブレース
【図１】
0003234034.tif 000003
【図２】
0003234034.tif 000004
【図３】
0003234034.tif 000005
【図４】
0003234034.tif 000006
【図５】
0003234034.tif 000007
【図６】
0003234034.tif 000008
【図７】
0003234034.tif 000009